(57)【要約】【課題】他世帯のドアホン子器と通話中に自世帯のドアホン子器から呼出があった場合に、自世帯のドアホン子器からの呼出を家人に対して確実に通知することが可能なインターホンシステムを提供する。【解決手段】二世帯住宅の各世帯Ａ１，Ａ２には、カメラ付きのドアホン子器３と、マイク１０ａ及びスピーカ１０ｂを用いてドアホン子器３との間で通話を行うための制御・音声変復調回路１１、並びに子器の映像を表示するモニタ１２を具備した内線機器（インターホン親機１及びインターホン副親機２ａ〜２ｎ）が設置される。インターホン親機１は、同一世帯のドアホン子器３からの呼出信号を検知する呼出信号受信回路１５と、自世帯の内線機器が他世帯のドアホン子器３と通話中に呼出信号受信回路１５が呼出信号を検知すると、通話中の内線機器のモニタ１２にドアホン呼出を報知する表示を行わせる制御部１７及び映像変復調回路１３を備えている。【選択図】図１
2010010783.tif 000002
【特許請求の範囲】
【請求項１】
二世帯住宅に設けられて世帯内および世帯間で内線通話を行うためのインターホンシステムであって、
各世帯には、宅外に設置されるカメラ付きドアホンを含む子器と、カメラ付きドアホンとの間で通話を行うための通話手段及び子器で撮影された映像を表示するための映像表示手段を具備して宅内に設置される内線機器とが設けられ、内線機器に、同一世帯のカメラ付きドアホンからの呼出信号を検知する呼出信号検知手段と、通話手段を用いて他世帯のカメラ付きドアホンと通話中に呼出信号検知手段が呼出信号を検知すると、映像表示手段にドアホン呼出を報知する表示を行わせる表示制御手段とを設けたことを特徴とするインターホンシステム。
【請求項２】
前記内線機器として、子器接続端子を介して子器が接続されるインターホン親機と、インターホン親機の副親機接続端子に接続されインターホン親機を介してカメラ付きドアホンと通話を行うインターホン副親機を備えるとともに、インターホン親機の副親機接続端子に他世帯のインターホン親機を接続し、各世帯のインターホン親機に、当該インターホン親機の動作モードを、同一世帯の子器の映像信号をもとに自機の映像表示手段に映像を表示させるとともに、前記映像信号を副親機接続端子に出力させる親機モード、又は、他世帯のインターホン親機から副親機接続端子を介して入力される他世帯の子器の映像信号をもとに自機の映像表示手段に映像を表示させる副親機モードの何れかに切り替える親機／副親機切替手段と、世帯間の通信モードを、他世帯のインターホン親機との間で信号の授受を可能にする二世帯モード、又は、他世帯のインターホン親機との間で信号の授受を遮断する独立世帯モードの何れかに切り替える通信モード切替手段とを設け、インターホン親機は、二世帯モードで動作中に呼出信号検知手段が呼出信号を検知すると、他世帯のインターホン親機に対して動作モードを副親機モードに切り替える制御信号を送信して、他世帯のインターホン親機の動作モードを副親機モードに切り替えるとともに、インターホン親機は、自機又は同一世帯のインターホン副親機が他世帯のカメラ付きドアホンとの間で通話している状態で呼出信号検知手段が呼出信号を検知すると、通信モード切替手段により二世帯モードから独立世帯モードへ移行させるとともに、親機／副親機切替手段により副親機モードから親機モードへ移行させることを特徴とする請求項１記載のインターホンシステム。
【請求項３】
前記子器として、所定の検知エリアでの環境変化を検知すると、インターホン親機に呼出信号を出力するとともに、検知エリアを含む所定の撮影エリアを撮影するカメラ子器を備え、内線機器が他世帯のカメラ付きドアホンと通話している状態で、呼出信号検知手段が同一世帯のカメラ付きドアホン又はカメラ子器から呼出信号を検知した場合に、表示制御手段により子器からの呼出を報知する表示を映像表示手段に行わせる呼出報知処理、又は、子器の映像を映像表示手段に表示させる映像表示処理の何れを実行するかを予め設定するための設定手段を各世帯の内線機器に設けたことを特徴とする請求項１又は２の何れかに記載のインターホンシステム。
【請求項４】
前記設定手段によって、個々の内線機器毎に前記呼出報知処理又は前記映像表示処理の何れの処理を実行するかが設定されることを特徴とする請求項３記載のインターホンシステム。
【請求項５】
内線機器が他世帯のカメラ付きドアホンと通話している状態で呼出信号検知手段が呼出信号を検知した場合に他世帯のカメラ付きドアホン及び自世帯のカメラ付きドアホンから通話相手を選択する選択手段を各世帯の内線機器に設けたことを特徴とする請求項１乃至４の何れか１項に記載のインターホンシステム。
【発明の詳細な説明】
【技術分野】
【０００１】
本発明は、二世帯住宅で用いられるインターホンシステムに関するものである。
【背景技術】
【０００２】
近年、１つの住宅に親世帯と子世帯とが同居する２世帯住宅が普及してきており、このような二世帯住宅では、各々の世帯で個別に来客に応対できるように、各世帯にインターホンシステムを設置していた（例えば特許文献１参照）。
【０００３】
上記文献に開示されたインターホンシステムでは、親世帯のみにインターホン親機を配置するとともに、当該インターホン親機に、各世帯のドアホン子器と、各世帯に設置された複数台のインターホン副親機とをそれぞれ接続してある。そして、インターホン親機及びインターホン副親機には、各世帯のドアホン子器からの呼出を有効、無効に設定する設定スイッチを設けてあり、何れかの世帯のドアホン子器で呼出釦が押され、ドアホン子器からの呼出信号が親機を介して副親機に送られた場合、親機及び副親機では、設定スイッチの設定を参照し、呼出音を鳴動可能なドアホン子器からの呼出に対してのみ呼出音を鳴動させるようになっていた。
【０００４】
而して、一方の世帯のインターホン親機或いはインターホン副親機で、他世帯のドアホン子器からの呼出に応答可能なように設定していれば、一方の世帯のドアホン子器からドアホン呼出が入力された際に、他世帯のインターホン親機或いはインターホン副親機でドアホン呼出に応答することができた。
【特許文献１】特開平１１−３０８６０６号公報
【発明の開示】
【発明が解決しようとする課題】
【０００５】
上述のインターホンシステムでは、親世帯のみにインターホン親機が設置され、子世帯には親世帯のインターホン親機に接続されるインターホン副親機のみが設置されているので、親世帯のインターホン親機と子世帯のドアホン子器との間で通話中に、親世帯のドアホン子器から呼出があった場合は、親世帯のインターホン親機が自世帯のドアホン子器からの呼出を検知してドアホン呼出の表示を行うことは可能であるが、子世帯のインターホン副親機と親世帯のドアホン子器との間で通話中に、子世帯のドアホン子器から呼出があっても、子世帯のインターホン副親機では自世帯のドアホン子器からの呼出を直接検知できないため、自世帯のドアホン子器から呼出があったことを表示することはできなかった。そのため従来のインターホンシステムでは、親世帯或いは子世帯の何れかの世帯で、他世帯のドアホン子器との間で通話中に、自世帯のドアホン子器からの呼出があった場合に、このドアホン呼出に対応できないという問題があった。
【０００６】
本発明は上記問題点に鑑みて為されたものであり、その目的とするところは、他世帯のドアホン子器と通話中に自世帯のドアホン子器から呼出があった場合に、自世帯のドアホン子器からの呼出を家人に対して確実に通知することが可能なインターホンシステムを提供することにある。
【課題を解決するための手段】
【０００７】
上記目的を達成するために、請求項１の発明は、二世帯住宅に設けられて世帯内および世帯間で内線通話を行うためのインターホンシステムであって、各世帯には、宅外に設置されるカメラ付きドアホンを含む子器と、カメラ付きドアホンとの間で通話を行うための通話手段及び子器で撮影された映像を表示するための映像表示手段を具備して宅内に設置される内線機器とが設けられ、内線機器に、同一世帯のカメラ付きドアホンからの呼出信号を検知する呼出信号検知手段と、通話手段を用いて他世帯のカメラ付きドアホンと通話中に呼出信号検知手段が呼出信号を検知すると、映像表示手段にドアホン呼出を報知する表示を行わせる表示制御手段とを設けたことを特徴とする。
【０００８】
請求項２の発明は、請求項１の発明において、内線機器として、子器接続端子を介して子器が接続されるインターホン親機と、インターホン親機の副親機接続端子に接続されインターホン親機を介してカメラ付きドアホンと通話を行うインターホン副親機を備えるとともに、インターホン親機の副親機接続端子に他世帯のインターホン親機を接続し、各世帯のインターホン親機に、当該インターホン親機の動作モードを、同一世帯の子器の映像信号をもとに自機の映像表示手段に映像を表示させるとともに、映像信号を副親機接続端子に出力させる親機モード、又は、他世帯のインターホン親機から副親機接続端子を介して入力される他世帯の子器の映像信号をもとに自機の映像表示手段に映像を表示させる副親機モードの何れかに切り替える親機／副親機切替手段と、世帯間の通信モードを、他世帯のインターホン親機との間で信号の授受を可能にする二世帯モード、又は、他世帯のインターホン親機との間で信号の授受を遮断する独立世帯モードの何れかに切り替える通信モード切替手段とを設け、インターホン親機は、二世帯モードで動作中に呼出信号検知手段が呼出信号を検知すると、他世帯のインターホン親機に対して動作モードを副親機モードに切り替える制御信号を送信して、他世帯のインターホン親機の動作モードを副親機モードに切り替えるとともに、インターホン親機は、自機又は同一世帯のインターホン副親機が他世帯のカメラ付きドアホンとの間で通話している状態で呼出信号検知手段が呼出信号を検知すると、通信モード切替手段により二世帯モードから独立世帯モードへ移行させるとともに、親機／副親機切替手段により副親機モードから親機モードへ移行させることを特徴とする。
【０００９】
請求項３の発明は、請求項１又は２の何れかの発明において、子器として、所定の検知エリアでの環境変化を検知すると、インターホン親機に呼出信号を出力するとともに、検知エリアを含む所定の撮影エリアを撮影するカメラ子器を備え、内線機器が他世帯のカメラ付きドアホンと通話している状態で、呼出信号検知手段が同一世帯のカメラ付きドアホン又はカメラ子器から呼出信号を検知した場合に、表示制御手段により子器からの呼出を報知する表示を映像表示手段に行わせる呼出報知処理、又は、子器の映像を映像表示手段に表示させる映像表示処理の何れを実行するかを予め設定するための設定手段を各世帯の内線機器に設けたことを特徴とする。
【００１０】
請求項４の発明は、請求項３の発明において、設定手段によって、個々の内線機器毎に呼出報知処理又は映像表示処理の何れの処理を実行するかが設定されることを特徴とする。
【００１１】
請求項５の発明は、請求項１乃至４の何れか１項の発明において、内線機器が他世帯のカメラ付きドアホンと通話している状態で呼出信号検知手段が呼出信号を検知した場合に他世帯のカメラ付きドアホン及び自世帯のカメラ付きドアホンから通話相手を選択する選択手段を各世帯の内線機器に設けたことを特徴とする。
【発明の効果】
【００１２】
請求項１の発明によれば、一方の世帯の内線機器において、通話手段が他世帯のカメラ付きドアホンとの間で通話を行っている間に、呼出信号検知手段が同一世帯のカメラ付きドアホンからの呼出を検知すると、表示制御手段が映像表示手段にドアホン呼出を報知する表示を行わせているので、内線機器を用いて通話中の家人は、映像表示手段に表示されたドアホン呼出の報知内容から、自宅への来訪者を確実に把握することができる。しかも呼出音は鳴動されず、映像表示手段にドアホン呼出を報知する表示のみを行っているので、現在の通話を妨げることなく、自宅に来訪者があることを確実に報知して、ドアホン呼出への対応をとらせることができ、利便性を向上させたインターホンシステムを提供することができる。
【００１３】
請求項２の発明によれば、インターホン親機は、自機又は同一世帯のインターホン副親機が他世帯のカメラ付きドアホンと通話している状態で、呼出信号検知手段が同一世帯のドアホン子器からの呼出信号を検知すると、通信モード切替手段により二世帯モードから独立世帯モードに移行させるとともに、親機／副親機切替手段により副親機モードから親機モードへ切り替えているので、自世帯のカメラ付きドアホンで撮影された画像を映像表示手段に表示させることができ、自世帯への来訪者の画像を即座に確認できるという効果がある。
【００１４】
請求項３の発明によれば、他世帯のカメラ付きドアホンと通話している状態で自世帯のカメラ付きドアホン又はカメラ子器からの呼出信号を検知した場合に、呼出報知処理又は映像表示処理の何れの処理を行うかが設定手段によって設定されるので、使用状況やユーザの要望に合わせた処理を設定できるから、利便性が向上するという効果がある。さらに呼出信号を発した子器がカメラ子器の場合、カメラ子器では環境変化（例えば検知エリア内への人の進入）を検知して呼出信号を発しているので、防犯や防災のためにはカメラ子器の映像を早めに確認することが好ましいが、設定手段により映像表示処理が設定されていれば、カメラ子器が呼出信号を発した時点で、カメラ子器の画像が映像表示手段に表示されるから、安全性を高めることができるという効果もある。
【００１５】
請求項４の発明によれば、他世帯のカメラ付きドアホンと通話している状態で自世帯のカメラ付きドアホン又はカメラ子器からの呼出信号を検知した場合に呼出報知処理又は映像表示処理の何れの処理を行うかを、個々の内線機器毎に設定できるから、利便性が更に向上するという利点がある。
【００１６】
請求項５の発明によれば、他世帯のカメラ付きドアホンと通話している状態で自世帯の子器からの呼出信号が入力された場合に、他世帯のカメラ付きドアホンと自世帯のカメラ付きドアホンとから選択手段を用いて通話相手を選択できるので、利便性が向上するという効果がある。
【発明を実施するための最良の形態】
【００１７】
以下に本発明の実施の形態を図面に基づいて説明する。
【００１８】
（実施形態１）
本発明の実施形態１を図１〜図４に基づいて説明する。本実施形態のインターホンシステムは二世帯住宅に用いられ、二世帯住宅の二つの世帯Ａ１，Ａ２内での内線通話や、世帯Ａ１，Ａ２間での内線通話を行えるようにしている。尚、図１の例では世帯Ａ１が親世帯、世帯Ａ２が子世帯となっている。
【００１９】
各世帯Ａ１，Ａ２には、図２に示すように、住戸外（例えば玄関など）に設置される１乃至複数台のカメラ付きドアホン（以下、ドアホン子器と言う。）３と、所定の検知エリアでの環境変化（例えば検知エリア内への人の進入）を検出すると、呼出信号を出力するとともに検知エリアを含む所定の撮影エリアを撮影するカメラ子器４と、マイク１０ａ及びスピーカ１０ｂとモニタ１２（映像表示手段）を有し、ドアホン子器３との間でマイク１０ａ及びスピーカ１０ｂを用いて通話を行うとともに、子器（ドアホン子器３及びカメラ子器４）で撮影された映像をモニタ１２に表示させるインターホン親機（以下、親機と略称す。）１と、スピーカ及びマイクとモニタ１２を有し、親機１に伝送線Ｌｓ２を介して接続され、親機１を介してドアホン子器３との間でスピーカ及びマイクを用いて通話を行うとともに、子器で撮影された映像をモニタ１２に表示させるインターホン副親機（以下、副親機と略称す。）２ａ，２ｂ…２ｎとがそれぞれ設けられている。尚、各世帯Ａ１，Ａ２の親機１，１は伝送線Ｌｓ３を介して互いに接続されている。
【００２０】
そして、各世帯Ａ１，Ａ２の親機１は、図１に示すように、子器（ドアホン子器３及びカメラ子器４）が接続される複数の子器接続端子Ｔ１と、副親機２ａ…２ｎ及び他世帯の親機１が伝送線Ｌｓ２，Ｌｓ３を介して接続される複数の副親機接続端子Ｔ２（Ｔ２ａ，Ｔ２ｂ）と、マイク１０ａ並びにスピーカ１０ｂと、２線−４線変換回路を含みマイク１０ａから出力される音声信号を信号処理して後述の多重分離回路１６ａ，１６ｃに出力するとともに、多重分離回路１６ａ，１６ｃから入力される音声信号を信号処理してスピーカ１０ｂから音声を鳴動させ、さらに副親機２ａ〜２ｎ並びにカメラ子器４との間でＦＳＫ方式により制御信号を伝送する制御・音声変復調回路１１と、例えば液晶ディスプレイからなるモニタ１２（映像表示手段）と、後述の多重分離回路１６ｂ，１６ｄから入力される映像信号を復調してモニタ１２に表示させる映像変復調回路１３（映像復調手段）と、各種の操作（呼出信号への応答操作、所望のドアホン子器３の映像をモニタするための操作、副親機２ａ…の呼出操作）を行うための操作部１４と、伝送線路Ｌｓ１の線間電圧を監視することによってドアホン子器３又はカメラ子器４からの呼出信号を受信する呼出信号受信回路１５（呼出信号検知手段）と、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する多重分離回路１６ａと、ドアホン子器３又はカメラ子器４から信号線Ｌｓ１を介して入力される多重化信号から映像信号を分離して映像変復調回路１３に出力する多重分離回路１６ｂと、制御・音声変復調回路１１から入力される音声信号及び制御信号を周波数多重化して伝送線Ｌｓ２に出力するとともに、副親機２ａ〜２ｎから伝送線Ｌｓ２を介して入力される多重化信号から音声信号及び制御信号を分離して制御・音声変復調回路１１に出力する多重分離回路１６ｃと、多重分離回路１６ｂにより分離された映像信号を再び周波数多重化して伝送線Ｌｓ２に出力するとともに、副親機接続端子Ｔ２を介して入力される伝送信号より映像信号を分離して映像変復調回路１３に出力する多重分離回路１６ｄと、マイコンを主構成要素として全体的な動作制御を行う制御部１７とを備えている。ここにおいて、マイク１０ａ及びスピーカ１０ｂと制御・音声変復調回路１１とで通話手段が構成される。
【００２１】
ここで、親機１では子器接続端子Ｔ１を３系統備えているのに対して映像信号を受信して処理する映像変復調回路１３を一つしか持たないので、映像信号同士の衝突を回避するために時分割多重伝送方式を採用しており、制御部１７から伝送線Ｌｓ１を介して伝送する制御信号によって規定される複数のタイムスロットにドアホン子器３及びカメラ子器４を個別に割り当て、それぞれの子器３，４が自器に割り当てられたタイムスロットで映像信号を送信し、親機１の映像変復調回路１３において各タイムスロットで受信し且つ復調した映像信号から元の映像を再構成してモニタ１２に表示させている。尚、時分割多重伝送の詳細については従来周知であるから説明を省略する。
【００２２】
また親機１は、通常のインターホン親機として動作する親機モードと、副親機２ａ〜２ｎと同様の動作を行う副親機モードとで、映像信号の信号経路を切り替える親機／副親機切替回路１８を備えている。なお親機１が親機モードで動作する場合、親機１は、同じ世帯の子器（ドアホン子器３及びカメラ子器４）から入力された映像信号を、副親機接続端子Ｔ２を介して同じ世帯の副親機２ａ〜２ｎと他世帯の親機１とに出力する。また親機１が副親機モードで動作する場合、親機１は、他世帯の親機１より副親機接続端子Ｔ２を介して入力された映像信号（他世帯の子器の映像信号）を映像変復調回路１３に出力させ、他世帯の子器で撮影された映像をモニタ１２に表示させるようになっている。
【００２３】
ここで、親機／副親機切替回路１８は、多重分離回路１６ｂと映像変復調回路１３との間の電路の途中に設けられたバッファ回路ＢＵＦ１と、多重分離回路１６ｄと映像変復調回路１３との間の電路の途中に互いに逆極性に接続されたバッファ回路ＢＵＦ２，ＢＵＦ３と、各バッファ回路ＢＵＦ１〜ＢＵＦ３のオン／オフを切り替える映像変復調回路１３及び制御部１７で構成される。
【００２４】
バッファ回路ＢＵＦ１〜ＢＵＦ３は映像変復調回路１３によってオン／オフが制御されており、制御部１７から親機モードへの切替信号が映像変復調回路１３に入力されると、映像変復調回路１３がバッファ回路ＢＵＦ１，ＢＵＦ２をオン、バッファ回路ＢＵＦ３をオフさせて、多重分離回路１６ｂで分離された同じ世帯の子器からの映像信号を映像変復調回路１３に入力させるとともに、この映像信号を多重分離回路１６ｄにより再び多重化して、副親機接続端子Ｔ２から出力させるようになっている。また、制御部１７から副親機モードへの切替信号が映像変復調回路１３に入力されると、映像変復調回路１３がバッファ回路ＢＵＦ１，ＢＵＦ２をオフ、バッファ回路ＢＵＦ３をオンさせており、他世帯の親機１から副親機接続端子Ｔ２を介して入力された伝送信号より多重分離回路１６ｄによって分離された映像信号（他世帯の子器の映像信号）が映像変復調回路１３に入力されるようになっている。
【００２５】
また親機１は、他世帯の親機１との間で信号の授受を可能にする二世帯モード、又は、他世帯の親機１との間で信号の授受を遮断する独立世帯モードの何れかに切り替えるための通信モード切替回路１９を備えている。通信モード切替回路１９は、他世帯の親機１が接続される副親機接続端子Ｔ２ａと同じ世帯の副親機２ａ〜２ｎが接続される端子Ｔ２ｂとの間に接続された内線スイッチＳＷ１、及び、この内線スイッチＳＷ１のオン／オフを切り替える制御部１７から構成される。ここで、操作部１４によって二世帯モードが選択されると、制御部１７が、操作部１４からの選択操作に応じて内線スイッチＳＷ１をオンさせ、他世帯の親機１との間で信号の授受を可能にする。一方、操作部１４によって独立世帯モードが選択されると、制御部１７が、操作部１４からの選択操作に応じて動作モードを独立世帯モードに切り替えるのであるが、ドアホン子器３からのドアホン呼出及びカメラ子器４による環境変化の検知入力が無い場合は、他世帯の親機１との間で制御信号の授受が行えるように内線スイッチＳＷ１をオンさせ、ドアホン子器３からのドアホン呼出又はカメラ子器４による環境変化の検知入力があると、内線スイッチＳＷ１をオフさせて、他世帯の親機１との間での信号の授受を遮断する。
【００２６】
また副親機２ａ〜２ｎは、子器からの呼出信号を受信する呼出信号受信回路１５、子器との間で信号（音声信号及び制御信号、映像信号）を周波数多重化或いは分離する多重分離回路１６ａ，１６ｂ、親機／副親機切替回路１８、及び通信モード切替回路１９を具備していない点を除いては、親機１と同様の構成を備えているので、共通する構成要素には同一の符号を付して、図示及び説明は省略する。
【００２７】
本実施形態のインターホンシステムは以上のような構成を有しており、このインターホンシステムの動作を図３及び図４に基づいて説明する。
【００２８】
親世帯Ａ１の家人が、例えば自宅を留守にする際に親機１の操作部１４を用いて動作モードを二世帯モードに切り替える操作を行うと（図３の処理Ｓ１）、親機１の制御部１７が操作部１４からの操作入力に基づいて自機の動作モードを二世帯モードに切り替えるとともに（処理Ｓ２）、制御・音声変復調回路１１から多重分離回路１６ｃに動作モードを二世帯モードに切り替える制御信号を出力させ、この制御信号（切替信号）を多重分離回路１６ｃにより周波数多重化して子世帯Ａ２の親機１へ出力させている（処理Ｓ３）。この時、子世帯Ａ２の親機１では、多重分離回路１６ｃが親世帯Ａ１から送られた伝送信号より制御信号を分離して、この制御信号を制御・音声変復調回路１１に出力しており、制御部１７は制御・音声変復調回路１１で復調された制御信号をもとに動作モードを二世帯モードに切り替える（処理Ｓ４）。
【００２９】
親世帯Ａ１及び子世帯Ａ２の親機１がそれぞれ二世帯モードに切り替えられると、各親機１の制御部１７は内線スイッチＳＷ１を常時オンにし、初期状態（二世帯モードに切り替えた当初）では動作モードを親機モードに設定する。この状態で親世帯Ａ１に来訪者があり、来訪者がドアホン子器３の呼出釦３ａを押し操作すると（処理Ｓ５）、ドアホン子器３が信号線Ｌｓ１の線間電圧を、待機給電状態よりも低い電圧に低下させることで親機１に呼出信号を伝送する（処理Ｓ６）。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させて、ドアホン子器３に内蔵するカメラを起動させるとともに、制御・音声変復調回路１１を用いてスピーカ１０ｂから呼出信号を鳴動させる。また制御部１７は呼出信号を鳴動させるための制御信号を多重分離回路１６ｃに出力し、この制御信号は多重分離回路１６ｃにより周波数多重化された後副親機２ａ〜２ｎ及び子世帯Ａ２の親機１に送信されており、同一世帯の副親機２ａ〜２ｎや他世帯の親機１並びに副親機２ａ〜２ｎからも呼出音が鳴動される。また更に、制御部１７では、子世帯Ａ２の親機１を副親機モードに切り替える制御信号（切替信号）を制御・音声変復調回路１１から出力させており、この切替信号が周波数多重化され、副親機接続端子Ｔ２を介して子世帯Ａ２の親機１に送信されると（処理Ｓ７）、子世帯Ａ２の親機１は動作モードを副親機モードに切り替え、バッファ回路ＢＵＦ１，ＢＵＦ２をオフ、バッファ回路ＢＵＦ３をオンさせる（処理Ｓ８）。
【００３０】
その後、親世帯側の親機１の制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ９）、ドアホン子器３が自器に割り当てられたタイムスロットで映像信号を返送すると（処理Ｓ１０）、多重分離回路１６ｂで分離された映像信号がバッファ回路ＢＵＦ１を介して映像変復調回路１３に入力され、映像変復調回路１３が映像信号を復調して元の映像を再構成することによって、子器の映像がモニタ１２に表示される。また親機１の多重分離回路１６ｂで分離された映像信号は、バッファ回路ＢＵＦ１，ＢＵＦ２を介して多重分離回路１６ｄに入力され、多重分離回路１６ｄによって再び多重化された後、副親機接続端子Ｔ２ａ，Ｔ２ｂを介して同じ世帯の副親機２ａ〜２ｎと他世帯の親機１に送られる（処理Ｓ１１）。而して同じ世帯の副親機２ａ〜２ｎにも子器の映像を表示させることができ、また子世帯側の親機１では、副親機接続端子Ｔ２を介して入力された伝送信号から多重分離回路１６ｄによって映像信号が分離され、バッファ回路ＢＵＦ３を介して映像変復調回路１３に入力されるので、子世帯側の親機１にも子器の映像を表示させることができる。また処理Ｓ１１において、親世帯Ａ１の親機１から子世帯Ａ２の親機１の副親機接続端子Ｔ２へ親世帯Ａ１側のドアホン子器３の映像信号が入力されると、この映像信号は副親機接続端子Ｔ２に接続された副親機２ａ〜２ｎにも送信されるので（処理Ｓ１２）、子世帯Ａ２の副親機２ａ〜２ｎにも親世帯Ａ１のドアホン子器の映像を表示させることができる。
【００３１】
ここで、子世帯Ａ２の家人が呼出音を聞いて例えば副親機２ａの応答釦（通話釦）１４ａを押し操作すると、親世帯Ａ１のドアホン子器３と子世帯Ａ２の副親機２ａとの間に、親世帯Ａ１の親機１と子世帯Ａ２の親機１とを介して通話路（図２のＢ１）が形成され、ドアホン子器３と子世帯Ａ２の副親機２ａとの間でドアホン通話が行われる（処理Ｓ１３）。
【００３２】
その後、子世帯Ａ２の副親機２ａが、親世帯Ａ１のドアホン子器３との間で通話を行っている間に、子世帯Ａ２に来訪者があり、この来訪者がドアホン子器３の呼出釦３ａを押し操作すると（処理Ｓ１４）、ドアホン子器３が信号線Ｌｓ１の線間電圧を、待機給電状態よりも低い電圧に低下させることで親機１に呼出信号（図２のＣ１）を伝送する（処理Ｓ１５）。子世帯側の親機１でも、呼出信号受信回路１５が信号線Ｌｓ１の線間電圧をモニタすることによって呼出信号Ｃ１を検出しており、呼出信号Ｃ１を受信して制御部１７に出力すると、制御部１７が信号線Ｌｓ１への給電電圧を待機給電状態から動作給電状態に移行させ、ドアホン子器３によりカメラを起動させるとともに、子器からの呼出を報知する制御信号（図２のＣ２）を多重分離回路１６ｃに出力させており、この制御信号Ｃ２は周波数多重化され、副親機接続端子Ｔ２を介して副親機２ａ〜２ｎに出力される（処理Ｓ１６）。
【００３３】
この時、他世帯のドアホン子器３と通話中の副親機２ａでは、多重分離回路１６ｃによって分離された制御信号Ｃ２が制御部１７に入力され、この制御信号Ｃ２に基づいて制御部１７が映像変復調回路１３を制御し、モニタ１２に自世帯のドアホン子器３からの呼出を報知する表示を行わせる。この時の表示画面の一例を図４に示しており、副親機２ａのモニタ１２には、現在通話中の他世帯のドアホン子器３で撮影された画像Ｇ１が表示されるとともに、画面の一部に自世帯のドアホン子器３からの呼出を報知する文字Ｄ１（例えば「呼出」など）が表示される。
【００３４】
このように本実施形態のインターホンシステムでは、一方の世帯の内線機器（インターホン親機１又はインターホン副親機２ａ〜２ｎ）において、通話手段が他世帯のカメラ付きドアホン３との間で通話を行っている間に、呼出信号受信回路１５が同一世帯のカメラ付きドアホン３からの呼出を検知すると、表示制御手段たる制御部１７が映像変復調回路１３を制御して、モニタ１２にドアホン呼出を報知する表示を行わせているので、内線機器を用いて他世帯のドアホン子器３と通話中の家人は、モニタ１２に表示されたドアホン呼出の報知内容から、自宅への来訪者を確実に把握することができ、ドアホン呼出への対応をとらせることが可能になる。しかも呼出音は鳴動されず、モニタ１２にドアホン呼出を報知する表示のみを行っているので、現在の通話を妨げることなく、自宅に来訪者があることを確実に報知でき、利便性を向上させたインターホンシステムを提供することができる。
【００３５】
また本システムでは、何れかの世帯（親世帯又は子世帯）の親機１で二世帯モードが選択されると、他世帯（子世帯又は親世帯）の親機１のモードも二世帯モードに切り替えられるから、家を留守にする際に自宅の親機１で二世帯モードに切り替える操作を行えば、親子２世帯の親機１を両方共に二世帯モードで動作させることができ、留守中に来訪者があった場合は在宅中の世帯で応答することができるから、利便性が向上するという利点がある。
【００３６】
（実施形態２）
本発明の実施形態２を図５〜図７に基づいて説明する。図２はインターホンシステムの概略的なシステム構成図であり、実施形態１で説明したシステムと、同様の構成を有しているので、共通する構成要素には同一の符号を付して、その説明は省略する。
【００３７】
上述の実施形態１では、一方の世帯の内線機器（インターホン親機１又はインターホン副親機２ａ〜２ｎ）が他世帯のドアホン子器３と通話中に同じ世帯のドアホン子器３からの呼出を検知すると、モニタ１２に呼出を報知する表示（呼出報知処理）を行っているのであるが、本実施形態では、他世帯のドアホン子器３との通話を強制的に終了させて、自世帯のドアホン子器３からの映像をモニタ１２に表示させている（映像表示処理）。
【００３８】
次に、本実施形態のインターホンシステムの動作を図６に基づいて説明する。尚、親世帯Ａ１の親機１での２世帯モードへの切替操作に応じて、両世帯Ａ１，Ａ２の親機１が二世帯モードに切り替えられた状態で、親世帯Ａ１のドアホン子器３からのドアホン呼出に対して、子世帯Ａ２の副親機２ａが応答し、親世帯Ａ１のドアホン子器３と子世帯Ａ２の副親機２ａとの間で内線通話が行われるまでの処理（図６の処理Ｓ１〜Ｓ１３）は、実施形態１で説明した図３の処理Ｓ１〜Ｓ１３と同様であるので、その説明は省略する。
【００３９】
そして、子世帯Ａ２の副親機２ａが、親世帯Ａ１のドアホン子器３との間で通話を行っている間に、子世帯Ａ２に来訪者があり、この来訪者がドアホン子器３の呼出釦３ａを押し操作すると（処理Ｓ１４）、ドアホン子器３が信号線Ｌｓ１の線間電圧を、待機給電状態よりも低い電圧に低下させることで親機１に呼出信号（図５のＣ１）を伝送する（処理Ｓ１５）。子世帯側の親機１でも、呼出信号受信回路１５が信号線Ｌｓ１の線間電圧をモニタすることによって呼出信号Ｃ１を検出しており、呼出信号Ｃ１を受信して制御部１７に出力すると、制御部１７が信号線Ｌｓ１への給電電圧を待機給電状態から動作給電状態に移行させ、ドアホン子器３によりカメラを起動させるとともに、親世帯Ａ１のドアホン子器３との通話を終了させる制御信号Ｃ２を多重分離回路１６ｃに出力させており、この制御信号Ｃ２は周波数多重化され、副親機接続端子Ｔ２を介して副親機２ａ〜２ｎに出力される（処理Ｓ１６）。
【００４０】
この時、他世帯（この場合は親世帯Ａ１）のドアホン子器３と通話中の副親機２ａでは、多重分離回路１６ｃによって分離された制御信号が制御部１７に入力され、この制御信号Ｃ２に基づいて制御部１７が制御・音声変復調回路１１を制御して、親世帯Ａ１のドアホン子器３との通話を強制的に終了させるとともに（処理Ｓ１８）、通話終了を報知する制御信号を子世帯Ａ２の親機１へ返送する（処理Ｓ１９）。そして、子世帯Ａ２の親機１では、副親機２ａから通話終了を報知する制御信号を受信すると、この制御信号が多重分離回路１６ｃで分離されて制御部１７に入力され、制御部１７が、内線スイッチＳＷ１をオフさせることによって二世帯モードから独立世帯モードに切り替えるとともに、バッファ回路ＢＵＦ１，ＢＵＦ２をオン、バッファ回路ＢＵＦ３をオフさせることによって、動作モードを副親機モードから親機モードに切り替えている（処理Ｓ２０）。
【００４１】
また処理Ｓ１９において子世帯側の副親機２ａから親機１に送られた通話終了を報知する制御信号は、親機１の副親機接続端子Ｔ２を介して親世帯側の親機１へも送出されており（処理Ｓ２１）、親世帯側の親機１では、通話終了を報知する制御信号を受けて待機モードに移行するとともに（処理Ｓ２２）、ドアホン子器３への給電状態を待機給電状態に切り替えており（処理Ｓ２３）、ドアホン子器３ではカメラを停止させて待機状態に移行する（処理Ｓ２４）。
【００４２】
また子世帯側の親機１の制御部１７は、処理Ｓ２０で親機モードに移行すると、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ２５）、ドアホン子器３が自器に割り当てられたタイムスロットで映像信号を返送すると（処理Ｓ２６）、多重分離回路１６ｂで分離された映像信号がバッファ回路ＢＵＦ１を介して映像変復調回路１３に入力され、映像変復調回路１３が映像信号を復調して元の映像を再構成することによって、子器の映像がモニタ１２に表示される。また親機の多重分離回路１６ｂで分離された映像信号は、バッファ回路ＢＵＦ１，ＢＵＦ２を介して多重分離回路１６ｄに入力され、多重分離回路１６ｄによって再び多重化された後、副親機接続端子Ｔ２ａを介して子世帯側の副親機２ａ〜２ｎに送出されており（処理Ｓ２７）、これら副親機２ａ〜２ｎにも同じ世帯のドアホン子器３の映像Ｇ２を表示させることができる（図７（ｂ）参照）。その後、子世帯側の家人が、副親機２ａのモニタ１２に映し出された自世帯のドアホン子器３の画像を見て、応答釦１４ａを押し操作すると、子世帯側のドアホン子器３との間に通話路（図５のＢ２）が形成され、内線通話が行われる（処理Ｓ２８）。
【００４３】
このように、本実施形態では一方の世帯の内線機器（インターホン親機１又はインターホン副親機２ａ〜２Ｎ）が、他世帯のドアホン子器３と通話中に、同じ世帯の子器（ドアホン子器３又はカメラ子器４）からの呼出を検知すると、独立世帯モードに移行して他世帯のドアホン子器３との通話を強制的に終了させるとともに、
モニタ１２に表示される画像を他世帯の子器の画像Ｇ１（図７（ａ）参照）から、自世帯の子器の画像Ｇ２（図７（ｂ）参照）に切り替えているので、内線機器を用いて通話中の家人は、モニタ１２に表示されたドアホン呼出を報知する表示（すなわち自世帯の子器３の画像Ｇ２）から、自宅への来訪者を確実に把握することができ、しかも自世帯の子器で撮影された画像をモニタ１２で即座に確認できるから、自世帯への来訪者や不審者の存在を即座に確認することができる。
【００４４】
尚、本実施形態では、一方の世帯の内線機器（インターホン親機１又はインターホン副親機２ａ〜２ｎ）が他世帯のドアホン子器３と通話中に同じ世帯のドアホン子器３からの呼出を検知すると、親機１の動作モードが独立世帯モードに切り替えられるとともに、副親機モードから親機モードに切り替えられて、他世帯のドアホン子器３との通話が強制的に終了させられた後、自世帯の子器の映像がモニタ１２に表示されるようになっているが、各世帯の親機１において、内線機器が他世帯のドアホン子器３と通話中に同じ世帯の子器（ドアホン子器３又はカメラ子器４）からの呼出を検知した場合に、子器からの呼出を報知する表示をモニタ１２に行わせる呼出報知処理（実施形態１で説明した処理）、又は、子器の映像をモニタ１２に表示させる映像表示処理（本実施形態で説明した処理）の何れを実行するかを操作部１４（設定手段）を用いて予め設定しておいても良く、操作部１４を用いて使用状況やユーザの要望に合わせた処理（呼出報知処理又は映像表示処理）を予め設定できるから、利便性が向上するという効果がある。
【００４５】
また他世帯のドアホン子器３と通話中に呼出信号を発した自世帯の子器がカメラ子器４の場合、カメラ子器４では環境変化（例えば検知エリア内への人の進入や異常状態の発生）を検知して呼出信号を発しているので、防犯、防災のためにはカメラ子器４の映像を早めに確認することが好ましいが、操作部１４を用いて映像表示処理が設定されていれば、カメラ子器４が呼出信号を発した時点で、カメラ子器４の画像がモニタ１２に表示されるから、安全性を高めることができる。ここにおいて、一方の世帯の内線機器が他世帯のドアホン子器３と通話中に同じ世帯の子器からの呼出を検知した場合の処理として、呼出表示処理或いは映像表示処理の何れを実行するかを、個々の内線機器毎（すなわち親機１及び副親機２ａ〜２ｎ毎）に設定しても良く、利便性を更に向上させることができる。
【００４６】
（実施形態３）
本発明の実施形態３を図８及び図９に基づいて説明する。尚、インターホンシステムの基本的な構成は実施形態１で説明したのと同様であるので、共通する構成要素には同一の符号を付して、その説明は省略する。
【００４７】
上述の実施形態２では、一方の世帯の内線機器（インターホン親機１又はインターホン副親機２ａ〜２ｎ）が他世帯のドアホン子器３と通話中に同じ世帯のドアホン子器３からの呼出を検知すると、他世帯のドアホン子器３との通話を強制的に終了させて、自世帯のドアホン子器３の映像をモニタ１２に表示させ、応答釦１４ａの操作に応じて自世帯のドアホン子器３との間で内線通話を行えるようにしているが、本実施形態では、操作部１４の操作によって他世帯のドアホン子器３及び自世帯のドアホン子器３から通話相手を選択できるようにしている。
【００４８】
ここで、インターホンシステムの動作を図８及び図９に基づいて説明する。尚、親世帯Ａ１の親機１での２世帯モードへの切替操作に応じて、両世帯Ａ１，Ａ２の親機１が二世帯モードに切り替えられた状態で、親世帯Ａ１のドアホン子器３からのドアホン呼出に対して、子世帯Ａ２の副親機２ａが応答し、親世帯Ａ１のドアホン子器３と子世帯Ａ２の副親機２ａとの間で内線通話が行われるまでの処理（図９の処理Ｓ１〜Ｓ１３）は、実施形態１で説明した図３の処理Ｓ１〜Ｓ１３と同様であるので、その説明は省略する。
【００４９】
そして、子世帯Ａ２の副親機２ａが、親世帯Ａ１のドアホン子器３との間で通話を行っている間に、子世帯Ａ２に来訪者があり、この来訪者がドアホン子器３の呼出釦３ａを押し操作すると（処理Ｓ１４）、ドアホン子器３が信号線Ｌｓ１の線間電圧を、待機給電状態よりも低い電圧に低下させることで親機１に呼出信号（図８のＣ１）を伝送する（処理Ｓ１５）。子世帯側の親機１でも、呼出信号受信回路１５が信号線Ｌｓ１の線間電圧をモニタすることによって呼出信号Ｃ１を検出しており、呼出信号Ｃ１を受信して制御部１７に出力すると、制御部１７が信号線Ｌｓ１への給電電圧を待機給電状態から動作給電状態に移行させ、ドアホン子器３によりカメラを起動させるとともに、親世帯Ａ１のドアホン子器３との通話を終了させる制御信号（図８のＣ２）を多重分離回路１６ｃに出力させており、この制御信号Ｃ２は周波数多重化され、副親機接続端子Ｔ２を介して副親機２ａ〜２ｎに出力される（処理Ｓ１６）。
【００５０】
この時、他世帯のドアホン子器３と通話中の副親機２ａでは、多重分離回路１６ｃによって分離された制御信号Ｃ２が制御部１７に入力され、この制御信号Ｃ２に基づいて制御部１７が映像変復調回路１３を制御し、モニタ１２に自世帯のドアホン子器３からの呼出を報知する表示を行わせる。この時の表示画面の一例を図４に示しており、副親機２ａのモニタ１２には、現在通話中の他世帯のドアホン子器３で撮影された画像Ｇ１が表示されるとともに、画面の一部に自世帯のドアホン子器３からの呼出を報知する文字Ｄ１（例えば「呼出」など）が表示される（処理Ｓ１７）。
【００５１】
この処理Ｓ１７では副親機２ａのモニタ１２に自世帯のドアホン子器３からの呼出が表示されるだけで、親世帯Ａ１のドアホン子器３との間の通話は継続しており、この状態で副親機２ａの応答釦１４ａが押し操作されると（処理Ｓ１８ａ）、副親機２ａの制御部１７は、選択手段たる応答釦１４ａの選択操作に応じて通話相手を親世帯Ａ１のドアホン子器３から子世帯Ａ２のドアホン子器３に切り替える処理を行う。すなわち、子世帯Ａ２の副親機２ａでは、多重分離回路１６ｃによって分離された制御信号が制御部１７に入力され、この制御信号Ｃ２に基づいて制御部１７が制御・音声変復調回路１１を制御して、親世帯Ａ１のドアホン子器３との通話を終了させるとともに（処理Ｓ１８）、通話終了を報知する制御信号を子世帯Ａ２の親機１へ返送する（処理Ｓ１９）。そして、子世帯Ａ２の親機１では、副親機２ａから通話終了を報知する制御信号を受信すると、この制御信号が多重分離回路１６ｃによって分離されて制御部１７に入力され、制御部１７が、内線スイッチＳＷ１をオフさせることによって二世帯モードから独立世帯モードに切り替えるとともに、バッファ回路ＢＵＦ１，ＢＵＦ２をオン、バッファ回路ＢＵＦ３をオフさせることによって、動作モードを副親機モードから親機モードに切り替えている（処理Ｓ２０）。
【００５２】
また処理Ｓ１９において子世帯側の副親機２ａから親機１に送られた通話終了を報知する制御信号は、親機１の副親機接続端子Ｔ２を介して親世帯側の親機１へも送出されており（処理Ｓ２１）、親世帯側の親機１では、通話終了を報知する制御信号を受けて待機モードに移行するとともに（処理Ｓ２２）、ドアホン子器３への給電状態を待機給電状態に切り替えており（処理Ｓ２３）、ドアホン子器３ではカメラを停止させて待機状態に移行する（処理Ｓ２４）。
【００５３】
また子世帯側の親機１の制御部１７は、処理Ｓ２０で親機モードに移行すると、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ２５）、ドアホン子器３が自器に割り当てられたタイムスロットで映像信号を返送すると（処理Ｓ２６）、多重分離回路１６ｂで分離された映像信号がバッファ回路ＢＵＦ１を介して映像変復調回路１３に入力され、映像変復調回路１３が映像信号を復調して元の映像を再構成することによって、子器の映像がモニタ１２に表示される。また親機の多重分離回路１６ｂで分離された映像信号は、バッファ回路ＢＵＦ１，ＢＵＦ２を介して多重分離回路１６ｄに入力され、多重分離回路１６ｄによって再び多重化された後、副親機接続端子Ｔ２ａを介して子世帯側の副親機２ａ〜２ｎに送出されており（処理Ｓ２７）、これらの副親機２ａ〜２ｎにも同じ世帯のドアホン子器３の映像を表示させることができる。その後、子世帯側の家人が、副親機２ａのモニタ１２に映し出された自世帯のドアホン子器３の画像を見て、応答釦１４ａを押し操作すると、子世帯側のドアホン子器３との間に通話路（図８のＢ２）が形成され、内線通話が行われる（処理Ｓ２８）。
【００５４】
その後、子世帯Ａ２の副親機２ａとドアホン子器３との間の通話が終了すると（処理Ｓ２９）、副親機２ａの制御部１７は、自機の動作モードを消費電力を低減させた待機モードに移行させるとともに（処理Ｓ３０）、通話終了を報知する制御信号を子世帯Ａ２の親機１へ返送する（処理Ｓ３１）。そして、子世帯Ａ２の親機１では、副親機２ａから通話終了を報知する制御信号を受信すると、この制御信号が多重分離回路１６ｃで分離されて制御部１７に入力され、制御部１７が、内線スイッチＳＷ１をオンさせることによって独立世帯モードから二世帯モードに切り替えるとともに、バッファ回路ＢＵＦ１，ＢＵＦ２をオン、バッファ回路ＢＵＦ３をオフさせることによって、動作モードを副親機モードから親機モードに切り替え（処理Ｓ３２）、さらに伝送線Ｌｓ１への給電電圧を待機給電状態に移行させてドアホン子器３を待機状態に移行させる（処理Ｓ３３）。
【００５５】
このように本実施形態では、一方の世帯の内線機器（インターホン親機１又はインターホン副親機２ａ〜２Ｎ）が他世帯のドアホン子器３と通話している状態で同じ世帯からの呼出信号を検知した場合に、選択手段たる応答釦１４ａを用いて、他世帯のドアホン子器３及び自世帯のドアホン子器３から通話相手を選択できるようにしているので、内線機器を用いて通話を行っている人物自身が通話相手を選択することで、システムの利便性を向上させることができる。
【図面の簡単な説明】
【００５６】
【図１】実施形態１のインターホンシステムの概略的なブロック図である。
【図２】同上の通話中の呼出時の動作を説明するシステム構成図である。
【図３】同上の動作を説明する状態遷移図である。
【図４】同上のインターホン副親機を示し、呼出表示を行う画面の例図である。
【図５】実施形態２のインターホンシステムのシステム構成図である。
【図６】同上の動作を説明する状態遷移図である。
【図７】同上のインターホン副親機を示し、（ａ）（ｂ）は自世帯のドアホン子器から呼出を受ける前後の画面を示す例図である。
【図８】実施形態３のインターホンシステムのシステム構成図である。
【図９】同上の動作を説明する状態遷移図である。
【符号の説明】
【００５７】
１  インターホン親機（内線機器）
２ａ〜２ｎ  インターホン副親機（内線機器）
３  ドアホン子器（カメラ付きドアホン）
４  カメラ子器
１０ａ  マイク（通話手段）
１０ｂ  スピーカ（通話手段）
１１  制御・音声変復調回路（通話手段）
１２  モニタ（映像表示手段）
１３  映像変復調回路
１５  呼出信号受信回路（呼出信号検知手段）
１７  制御部（映像制御手段）
Ａ１  親世帯
Ａ２  子世帯
【図１】
2010010783.tif 000003
【図２】
2010010783.tif 000004
【図３】
2010010783.tif 000005
【図４】
2010010783.tif 000006
【図５】
2010010783.tif 000007
【図６】
2010010783.tif 000008
【図７】
2010010783.tif 000009
【図８】
2010010783.tif 000010
【図９】
2010010783.tif 000011